(57)【要約】【課題】  保持される対象物の向き若しくは位置を変更することができる一方、意図しない方向に回転してしまうことがない簡易構造型のフックを提供すること。【解決手段】  第１のフック形成部材３１及び第２のフック形成部材３２によりフック３０が構成されている。第２のフック形成部材３２は、第１のフック形成部材３１の下部に設けられた挿入穴４１に挿入されて組み合わされるようになっており、第２のフック形成部材３１の上部に設けられた突出部４８Ａが挿入穴４１回りの凹状部４３に嵌る位置で相対回転が規制され、この嵌り合いを解除するように第２のフック形成部材を挿入穴内で移動させることで相対回転が可能となっている。【選択図】          図４
2006095034.tif 000002
【特許請求の範囲】
【請求項１】
第１のフック形成部材と第２のフック形成部材とを含み、これら第１及び第２のフック形成部材が略水平面に沿って相対回転可能に連結されたフックであって、
前記第１のフック形成部材は、前記第２のフック形成部材を挿入することによって当該第２のフック形成部材を一体化させる挿入部を備え、
前記第１のフック形成部材と第２のフック形成部材は、前記相対回転方向に沿う所定位置で相対回転が規制される一方、前記挿入部に対して第２のフック形成部材を移動させることで、前記相対回転規制が解除可能に設けられていることを保持することを特徴とするフック。
【請求項２】
対人情報の表示面を備えた保持対象物の前記表示面を特定方向に向けた姿勢で吊り下げ状態を保持するフックであって、
略水平面に沿って相対回転可能に連結された第１のフック形成部材と第２のフック形成部材とからなり、
前記第１のフック形成部材は、前記第２のフック形成部材を挿入することによって当該第２のフック形成部材を一体化させる挿入部を備え、
前記第１のフック形成部材と第２のフック形成部材は、前記相対回転方向に沿う所定位置で相対回転を規制して前記表示面が特定方向に向く状態を維持する一方、前記挿入部に対して第２のフック形成部材を移動させることで、前記相対回転規制が解除可能に設けられていることを保持することを特徴とするフック。
【請求項３】
点滴薬を準備する領域をなす天板の上方に、横架材を介して前記点滴薬を収納した袋容器の表示面が前方正面又は後方正面に向くように吊り下げて保持するためのフックであって、
略水平面に沿って相対回転可能に連結された第１のフック形成部材と第２のフック形成部材とからなり、
前記第１のフック形成部材は、前記第２のフック形成部材を挿入することによって当該第２のフック形成部材を一体化させる挿入部を備え、
前記第１のフック形成部材と第２のフック形成部材は、前記相対回転方向に沿う所定位置で相対回転を規制して前記表示面が前記天板の前方正面又は後方正面に向く状態に維持する一方、前記挿入部に対して第２のフック形成部材を移動させることで、前記相対回転規制が解除可能に設けられていることを保持することを特徴とするフック。
【請求項４】
前記挿入部の回りに凹状部が形成される一方、前記第２のフック形成部材に前記凹状部に収容される突出部が形成され、
前記凹状部に突出部が収容されることで、第１及び第２のフック形成部材の相対回転が規制されることを特徴とする請求項１，２又は３記載のフック。
【請求項５】
前記凹状部は曲面を介して形成される一方、前記突出部は前記曲面に対応する曲面形状に形成され、
前記各曲面相互の接触により、前記突出部を凹状部に収容させる際の相対回転が円滑に行われることを特徴とする請求項４記載のフック。
【発明の詳細な説明】
【技術分野】
【０００１】
本発明はフックに係り、特に、点滴薬を収納した袋容器の表示面を特定方向に向けた状態に保持することに適したフックに関する。
【背景技術】
【０００２】
例えば、医療現場においては、袋容器に収納された各種の点滴薬が保管されており、これら点滴薬は、医師の指示に従って看護スタッフが投薬に備えて事前に準備するという作業形態が一般に採用されている。このような作業は、ナースステーション内に設置されたテーブル等の作業台を利用して行うことが通常とされている。この場合、作業台の上方位置に、横架材を配置しておき、当該横架材にフックを引っ掛けることで、前記袋容器を保持させることができる。
【０００３】
特許文献１には、上部フック形成部材と、当該上部フック形成部材の下端部に連結された下部フック形成部材とを備えたフックが開示されている。
【０００４】
【特許文献１】特開２００３−２４５１８９号公報
【発明の開示】
【発明が解決しようとする課題】
【０００５】
しかしながら、特許文献１に記載されたフックは、上部フック形成部材と下部フック形成部材との水平面内における相対回転を許容するものの、上部フック形成部材と下部フック形成部材を相対回転させるための連結用部材を別途に必要とするものであり、上下のフック形成部材の二つの部材のみによってこれらの相対回転を許容する構成とはなっていない。従って、部品点数が増大するとともに、その組み立ても煩雑になる、という不都合がある。
【０００６】
また、特許文献１は、下部フック形成部材の位置を特定方向に向けた位置を静止位置として保持する機構は採用されていない。例えば、点滴薬を収納した袋容器等を保持させた状態で当該袋容器に人の体が接触したような場合、或いは、点滴薬に接続されたチューブ等が引っ張られた場合に、下部フック形成部材が上部フック形成部材に対して不用意に回転してしまい、表示面が意図しない方向に向けられてしまう、という不都合を招来する。
【０００７】
周知のように、点滴薬の袋容器は、患者情報等の表示が付されるものであるため、投薬ミス等を未然に防止するためには、表示面が常に一定の方向を向くようにして見易い状態に保つことが必要となるが、公知のフックには、そのような必要性に対応した構造上の工夫はなされていないのが実状である。
【０００８】
［発明の目的］
本発明は、フックに保持される対象物の向き若しくは位置を変更することができるとともに、特定方向に向けられた状態を安定して保って意図しない方向に回転してしまうことがないフックを提供することにある。
【０００９】
また、本発明の他の目的は、最小部品点数で形成することができ、組み立て作業等の簡略化を達成することのできるフックを提供することにある。
【課題を解決するための手段】
【００１０】
前記目的を達成するため、本発明は、第１のフック形成部材と第２のフック形成部材とを含み、これら第１及び第２のフック形成部材が略水平面に沿って相対回転可能に連結されたフックであって、
前記第１のフック形成部材は、前記第２のフック形成部材を挿入することによって当該第２のフック形成部材を一体化させる挿入部を備え、
前記第１のフック形成部材と第２のフック形成部材は、前記相対回転方向に沿う所定位置で相対回転が規制される一方、前記挿入部に対して第２のフック形成部材を移動させることで、前記相対回転規制が解除可能に設けられる、という構成を採っている。
【００１１】
また、本発明は、対人情報の表示面を備えた保持対象物の前記表示面を特定方向に向けた姿勢で吊り下げ状態を保持するフックであって、
略水平面に沿って相対回転可能に連結された第１のフック形成部材と第２のフック形成部材とからなり、
前記第１のフック形成部材は、前記第２のフック形成部材を挿入することによって当該第２のフック形成部材を一体化させる挿入部を備え、
前記第１のフック形成部材と第２のフック形成部材は、前記相対回転方向に沿う所定位置で相対回転を規制して前記表示面が特定方向に向く状態を維持する一方、前記挿入部に対して第２のフック形成部材を移動させることで、前記相対回転規制が解除可能に設けられる、という構成を採っている。
【００１２】
更に、本発明は、点滴薬を準備する領域をなす天板の上方に、横架材を介して前記点滴薬を収納した袋容器の表示面が前方正面又は後方正面に向くように吊り下げて保持するためのフックであって、
略水平面に沿って相対回転可能に連結された第１のフック形成部材と第２のフック形成部材とからなり、
前記第１のフック形成部材は、前記第２のフック形成部材を挿入することによって当該第２のフック形成部材を一体化させる挿入部を備え、
前記第１のフック形成部材と第２のフック形成部材は、前記相対回転方向に沿う所定位置で相対回転を規制して前記表示面が前記天板の前方正面又は後方正面に向く状態に維持する一方、前記挿入部に対して第２のフック形成部材を移動させることで、前記相対回転規制が解除可能に設けられる、という構成を採ることができる。
【００１３】
本発明では、前記挿入部の回りに凹状部が形成される一方、前記第２のフック形成部材に前記凹状部に収容される突出部が形成され、
前記凹状部に突出部が収容されることで、第１及び第２のフック形成部材の相対回転が規制される、という構成を採ることが好ましい。
この際、前記凹状部は曲面を介して形成される一方、前記突出部は前記曲面に対応する曲面形状に形成され、
前記各曲面相互の接触により、前記突出部を凹状部に収容させる際の相対回転が円滑に行われるように設けることができる。
【発明の効果】
【００１４】
本発明によれば、第１のフック形成部材と第２のフック形成部材との二つの部品の組み合わせによってフックが形成される構成となるため、必要最小限の部品点数でフックを構成することができる。
また、第１のフック形成部材に設けられた挿入部に第２のフック形成部材を挿入して組み合わせが可能となる構成としたことで、これらを相対回転可能に連結するための筒状部材等の中間部品を一掃でき、極めて簡単な構成によって上下のフック形成部材を水平面内で相対回転可能とすることができる。
また、各フック形成部材は、所定の位置で前記相対回転が規制される構成とされているため、例えば、点滴薬等の袋容器を保持したときに、当該袋容器に示される患者情報等の表示面が意図しない方向に向いてしまうような不都合はなく、従って、表示面を常に見やすい状態に保つことを実現して投薬ミス等を未然に防止することが期待される。
【発明を実施するための最良の形態】
【００１５】
以下、本発明の好ましい実施形態を図面を参照しながら説明する。
【００１６】
図１には、本発明に係るフックが、医療機関内の作業台を利用して適用された実施形態に係る概略斜視図が示されている。この図において、作業台１０は、下端部にキャスター１１が取り付けられた支持体としての脚フレーム１２と、これら脚フレーム１２の上端部に設けられた平面視略長方形状の天板１３と、当該天板１３上に配置されたオプション取付用のフレーム１５と、前記天板１３の下面側に出し入れ可能に設けられた引き出し１６とを備えて構成されている。
【００１７】
前記脚フレーム１２、天板１３及び引き出し１６は、実質的に公知の構造と同様であり、ここではそれらの詳細な説明を省略する。
【００１８】
前記フレーム１５は、図２及び図３にも示されるように、天板１３の長手方向両側において、前後方向（短寸幅方向）の略中間部に配置された左右一対の支柱２０，２０と、これら支柱２０，２０の上部間に配置された上部横架材２１と、下部間に配置された下部横架材２２と、これら上下の横架材２１，２２間に配置された縦桟２３とにより構成されている。従って、フレーム１５は、支柱１３、上部横架材２１、下部横架材２２及び縦桟２３が、天板１３の前後方向中間位置の仮想鉛直面内に位置することとなり、当該仮想鉛直面に恰も仕切り面が存在するかのように視覚的に認識されることとなる。
【００１９】
前記上部横架材２１には、保持対象物である点滴薬の袋容器Ｍを吊り下げるためのフック３０が着脱自在に設けられている。このフック３０は、図４ないし図８に示されるように、第１のフック形成部材３１と、当該第１のフック形成部材の下方に位置する第２のフック形成部材３２とにより構成されている。これら第１及び第２のフック形成部材３１，３２は、略水平面に沿って相対回転可能に連結されているとともに、当該相対回転方向に沿う所定位置で、相対回転が規制される一方、所定操作を介して相対回転規制を解除することができるように構成されている。
【００２０】
これを更に詳述すると、第１のフック形成部材３１は、上部横架材２１に引っ掛ける領域をなす略Ｃ字状部３５と、当該略Ｃ字状部３５の下端に一体に連設された枠部材３６とからなる。略Ｃ字状部３５の内径若しくは内側空間の大きさは、上部横架材２１の直径よりも若干小さく設けられており、これにより、フック３０が上部横架材２１の軸方向に沿って自由に滑ってしまうことがないようになっている。また、枠部材３６は、略Ｃ字状部３５の下端部から略水平方向に向かって相反する方向に分岐した上部分岐部３８，３８と、これら上部分岐部３８，３８の外方端から下方に向けられた左右一対の側面部３９，３９と、当該側面部３９，３９の下端間に位置する連結部４０とにより構成され、これらによって囲まれる内側が開放した略方形の閉ループ形状を呈する外形に設けられている。この枠部材３６は、略Ｃ字状部３５を上部横架材２１に引っ掛けたときに、当該上部横架材２１に沿う鉛直面内に位置するように設けられている。また、連結部４０には、第２のフック形成部材３２を、その先端側から挿入して第１のフック形成部材３１に組み合わせるための挿入部としての挿入穴４１が形成されている。この挿入穴４１回りにおいて、前記左右一対の側面部３９，３９間の中間部となる連結部の前後上面側は、曲面を介して若干低くなる凹状部４３，４３とされ、これら凹状部４３，４３に第２のフック形成部材３２の上部部分が収まるように位置したときに、第１及び第２のフック形成部材３１，３２の相対回転が規制されるようになっている。
【００２１】
前記第２のフック形成部材３２は、前記挿入穴４１を通過する太さに設けられた略Ｕ字状部４５と、この略Ｕ字状部４５の一方の端部に連なるとともに、略Ｕ字状部４５と同一外径に設けられた延長軸部４６とからなる。略Ｕ字状部４５において、延長軸部４６とは反対側の端部は、湾曲部を介して外方向すなわち延長軸部４６から離れる方向に屈曲した形状に設けられ、これにより、袋容器Ｍの穴に挿入し易い状態が確保されている。また、延長軸部４６の上端側には前記挿入穴４１の内径よりも大径に設けられた大径部４８が一体に設けられており、当該大径部４８は、周方向略１８０度間隔を隔てた外周部分、すなわち、図４に示されるように、フック３０を上部横架材２１に引っ掛けたときに、当該上部横架材２１に直交する鉛直面内における前後両側部分に、下面が緩やかな曲線をもって次第に下方に突出する湾曲した突出部４８Ａ，４８Ａを備えた形状に設けられている。これらの突出部４８Ａ，４８Ａは、第１のフック形成部材３１における前記凹状部４３，４３に略ぴったり収容されるものであり、これにより、第２のフック形成部材３２は、それ自体の重さによって凹状部４３に突出部４８が嵌り合う状態を維持して第１のフック形成部材３１に対する相対回転が規制されることとなる。なお、第２のフック形成部材３２は、それを上方に押し上げて凹状部４３から突出部４８Ａを脱出させることで、第１のフック形成部材３１に対して相対回転可能となるが、この場合においても、周方向に１８０度回転した位置で凹状部４３内に突出部４８Ａが嵌り込むことになるため、フック３０は、第１のフック形成部材３１の略Ｃ字状部３５と第２のフック形成部材３２の略Ｕ字状部４５が常に同一の鉛直面内に位置することとなる。そのため、フック３０に吊り下げられる点滴薬の袋容器Ｍは、患者等対人情報の表示面Ｍ１が作業台１０の前部正面又は後部正面に向かって真っ直ぐに表れる位置を保ち、作業台１０の側端側に向いてしまうようなことは生じない。
【００２２】
なお、前記下部横架材２２には、仕切部材５０及びトレイ６０が着脱自在に装着されているとともに、縦桟２３には、上部容器７０，７１が回転可能な状態で支持されている。
【００２３】
以上の実施形態によれば、フック３０を用いて点滴薬の袋容器Ｍを支持したときに、当該袋容器Ｍの表示面Ｍ１は、図１に示されるように、前方正面又は後方正面に向けられるようになる。従って、看護スタッフは、天板１３の手前側又は奥行側から天板１３に向かって作業をしている状態で、表示面Ｍ１を確認しながら作業を行うことができる。この際、表示面Ｍ１が作業位置の反対側に位置する状態でフック３０に支持されていても、第２のフック形成部材３２を上方に押し上げながら水平面内で略１８０度回転させることで、表示面Ｍ１を反対側に表出させることができ、横方向を向いてしまうような不都合は生じない。
【００２４】
また、上部横架材２１と下部横架材２２の間に縦桟２３を設けたから、上部横架材２１に加えられる荷重を縦桟２３が補強する構成となり、強度的な耐久性を付与することができる。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、図９に示されるように、第１のフック形成部材３１の略Ｃ字状部３５と、枠部材３６との相対位置を略水平面内で略９０度ずらした相対位置に設ける一方、第２のフック形成部材３２の略Ｕ字状部４５と、突出部４８Ａも略水平面内で略９０度ずらした相対位置に設けることでもよい。
【００２７】
また、前記実施形態では、第１のフック形成部材３１が上部に位置する一方、第２のフック形成部材３２が下部に位置する場合を図示、説明したが、フック３０の利用に際して第１のフック形成部材３１と第２のフック形成部材３２の上下位置を逆転して用いることを妨げない。要するに、本発明は、保持対象物の表示面を特定方向に向けた姿勢で吊り下げ状態を保持する構成であれば足りる。
【００２８】
更に、前記実施形態では、フックが医療機関内の作業台１０に適用される場合を図示、説明したが、例えば、入院患者のベッド近傍に備え付けられる点滴薬保持装置等に適用することもできる。また、挿入部として挿入穴４１を採用した場合を示したが、切欠部に代えて第２のフック形成部材３２を挿入できるようにしてもよい。
【００２９】
また、本発明に係るフックは、前述した袋容器Ｍを保持対象とするものに限らず、吊り下げて保持することに適した種々の物品保持用としての利用を妨げない。
【図面の簡単な説明】
【００３０】
【図１】本実施形態に係るフックが点滴液を収納した袋容器を作業台の上方で支持する状態を示す概略斜視図。
【図２】前記作業台の正面図。
【図３】図２の右側面図。
【図４】フックが点滴薬の袋容器を支持している状態を示す概略斜視図。
【図５】前記フックの分解斜視図。
【図６】前記フックの分解側面図。
【図７】前記フックの正面図。
【図８】図６のＡ−Ａ線に沿う一部断面図。
【図９】フックの変形例を示す正面図。
【符号の説明】
【００３１】
１０  作業台
１３  天板
１５  フレーム
２０  支柱
２１  上部横架材
３０  フック
３１  第１のフック形成部材
３２  第２のフック形成部材
４１  挿入穴（挿入部）
４３  凹状部
４８Ａ  突出部
Ｍ  袋容器
Ｍ１  表示面
【図１】
2006095034.tif 000003
【図２】
2006095034.tif 000004
【図３】
2006095034.tif 000005
【図４】
2006095034.tif 000006
【図５】
2006095034.tif 000007
【図６】
2006095034.tif 000008
【図７】
2006095034.tif 000009
【図８】
2006095034.tif 000010
【図９】
2006095034.tif 000011